(57)【特許請求の範囲】
【請求項１】
ユーザ端末のＷｅｂブラウザに広告主の広告を配信する情報提供装置のクッキー情報がない場合に前記Ｗｅｂブラウザからの前記広告主のサイト内の前記情報提供装置を示すドメインを含むスクリプトに従った前記ドメインを含む第１の呼び出しに応じて前記ドメインが示す前記情報提供装置から第１のクッキー情報を受け取り、前記第１のクッキー情報を第２のクッキー情報に変換し、前記第１のクッキー情報と前記第２のクッキー情報とを関連付けて記憶手段に記憶し、前記Ｗｅｂブラウザに前記第２のクッキー情報を設定する第１の処理手段と、
前記広告主のサイトと異なるサイトのサーバからの前記第２のクッキー情報を用いた前記情報提供装置を示す前記ドメインを含む第２の呼び出しに応じて、前記記憶手段から前記第２のクッキー情報に対応する前記第１のクッキー情報を読み出し、前記第１のクッキー情報を前記ドメインが示す前記情報提供装置に送信する第２の処理手段と、
を具備するクッキー情報の変換装置。
【請求項２】
前記情報提供装置は、第三者配信アドサーバであることを特徴とする請求項１に記載の装置。
【請求項３】
前記情報提供装置は、デマンドサイドプラットフォーム（ＤＳＰ）であることを特徴とする請求項１に記載の装置。
【請求項４】
前記情報提供装置は、データマネジメントプラットフォーム（ＤＭＰ）であることを特徴とする請求項１に記載の装置。
【請求項５】
ユーザ端末のＷｅｂブラウザに広告主の広告を配信する情報提供装置のクッキー情報がない場合に前記Ｗｅｂブラウザからの前記広告主のサイト内の前記情報提供装置を示すドメインを含むスクリプトに従った前記ドメインを含む第１の呼び出しに応じて前記ドメインが示す前記情報提供装置から第１のクッキー情報を受け取り、前記第１のクッキー情報を第２のクッキー情報に変換し、前記第１のクッキー情報と前記第２のクッキー情報とを関連付けて記憶手段に記憶し、前記Ｗｅｂブラウザに前記第２のクッキー情報を設定する第１の処理ステップと、
前記広告主のサイトと異なるサイトのサーバからの前記第２のクッキー情報を用いた前記情報提供装置を示す前記ドメインを含む第２の呼び出しに応じて、前記記憶手段から前記第２のクッキー情報に対応する前記第１のクッキー情報を読み出し、前記第１のクッキー情報を前記ドメインが示す前記情報提供装置に送信する第２の処理ステップと、
を含むクッキー情報の変換方法。
【請求項６】
コンピュータを、
ユーザ端末のＷｅｂブラウザに広告主の広告を配信する情報提供装置のクッキー情報がない場合に前記Ｗｅｂブラウザからの前記広告主のサイト内の前記情報提供装置を示すドメインを含むスクリプトに従った前記ドメインを含む第１の呼び出しに応じて前記ドメインが示す前記情報提供装置から第１のクッキー情報を受け取り、前記第１のクッキー情報を第２のクッキー情報に変換し、前記第１のクッキー情報と前記第２のクッキー情報とを関連付けて記憶手段に記憶し、前記第１の呼び出しに対して前記Ｗｅｂブラウザに前記第２のクッキー情報を設定する第１の処理手段と、
前記広告主のサイトと異なるサイトのサーバからの前記第２のクッキー情報を用いた前記情報提供装置を示す前記ドメインを含む第２の呼び出しに応じて、前記記憶手段から前記第２のクッキー情報に対応する前記第１のクッキー情報を読み出し、前記第１のクッキー情報を前記ドメインが示す前記情報提供装置に送信する第２の処理手段と、
として機能させるためのプログラム。
【発明の詳細な説明】
【技術分野】
【０００１】
本発明は、インターネット広告配信技術に関し、例えば、第三者配信アドサーバ（３ｒｄ  Ｐａｒｔｙ  ＡｄＳｅｒｖｅｒ：３ＰＡＳ）、リアルタイムビッディング（Ｒｅａｌ  Ｔｉｍｅ  Ｂｉｄｄｉｎｇ：ＲＴＢ）、データマネジメントプラットフォーム（Ｄａｔａ  Ｍａｎａｇｅｍｅｎｔ  Ｐｌａｔｆｏｒｍ：ＤＭＰ）等の情報提供装置と連携して広告配信等の処理を行う装置、方法及びプログラムに関する。
【背景技術】
【０００２】
ファーストパーティークッキー（１ｓｔ  ｐａｒｔｙ  ｃｏｏｋｉｅ）とは、ユーザが訪問したサイトの、サイト提供者のドメインから発行されたクッキーのことであり、媒体社がコンテンツの出し分けやログイン情報の維持などに使用する。また、サードパーティークッキー（３ｒｄ  ｐａｒｔｙ  ｃｏｏｋｉｅ）とは、ユーザの訪問したサイトとは異なる第三者のドメインから発行されたクッキーのことであり、サイト上で作動する、トラッキングタグや広告タグが発行するクッキーなどが該当する。
【０００３】
一部のＷｅｂブラウザにおいて、サードパーティークッキーの受け入れを拒否する動きがある。広告配信業者は、広告主の発注を受けてサードパーティークッキーを使い、広告配信やデータ収集などを行っている。サードパーティークッキー問題は、ユーザがサードパーティークッキーを拒否するブラウザを通じて外部サイトにアクセスした場合に、広告配信やデータ収集ができなくなることである。
【０００４】
この問題に対処するための技術として、下記特許文献１に記載のものがある。
【先行技術文献】
【特許文献】
【０００５】
【特許文献１】米国特許第７，９０４，５２０号明細書
【発明の概要】
【発明が解決しようとする課題】
【０００６】
上記サードパーティークッキー問題以外に、広告主ができれば秘匿したい自社のターゲティングに関する情報や広告配信などのデータが外部の広告配信業者に渡ることも問題である（他社のターゲティングに活用される恐れがある）。
【０００７】
具体的には、広告主が他の配信業者等のサーバ等を通じて取得したクッキー情報が、他の広告主のための配信に二次利用されるのを防止すべきである。また、クッキー情報はユーザが意図的に削除しない限り永続的であり、このようなクッキー情報の生存期間を広告主側でコントロールできるようにすることが好ましい。
【０００８】
本発明はこのような事情に鑑みてなされたものであり、広告主が意図しない二次利用等を防ぐためにクッキー情報を変換する装置、方法及びプログラムを提供することを目的とする。
【課題を解決するための手段】
【０００９】
一実施形態に係るクッキー情報の変換装置は、Ｗｅｂブラウザから情報提供装置の呼び出しに応じて当該情報提供装置から第１のクッキー情報を受け取り、当該第１のクッキー情報を第２のクッキー情報に変換する変換手段と、前記第１のクッキー情報と前記第２のクッキー情報とを関連付けて記憶する記憶手段と、を具備し、前記呼び出しに対して前記Ｗｅｂブラウザに前記第２のクッキー情報を設定することを特徴とする。
【００１０】
一実施形態に係るクッキー情報の変換方法は、Ｗｅｂブラウザから情報提供装置の呼び出しに応じて当該情報提供装置から第１のクッキー情報を受け取り、当該第１のクッキー情報を第２のクッキー情報に変換する変換ステップと、前記第１のクッキー情報と前記第２のクッキー情報とを関連付けて記憶手段に記憶する記憶ステップと、を含み、前記呼び出しに対して前記Ｗｅｂブラウザに前記第２のクッキー情報を設定することを特徴とする。
【００１１】
一実施形態に係るプログラムは、コンピュータを、Ｗｅｂブラウザから情報提供装置の呼び出しに応じて当該情報提供装置から第１のクッキー情報を受け取り、当該第１のクッキー情報を第２のクッキー情報に変換する変換手段、前記第１のクッキー情報と前記第２のクッキー情報とを関連付けて記憶する記憶手段と、として機能させるためのプログラムであって、前記呼び出しに対して前記Ｗｅｂブラウザに前記第２のクッキー情報を設定することを特徴とする。
【図面の簡単な説明】
【００１２】
【図１】実施形態に係る広告配信システムを示す図
【図２】第１の実施形態に係る変換サーバおよび第三者配信アドサーバを示す図
【図３】第１の実施形態との比較例１を示す図
【図４】第１の実施形態の作用効果を説明するための図
【図５】第２の実施形態に係る変換サーバおよびＤＳＰを示す図
【図６】第２の実施形態に係るＤＳＰおよびＳＳＰを示す図
【図７】第２の実施形態との比較例２を示す図
【図８】第２の実施形態の作用効果を説明するための図
【図９】第３の実施形態に係る変換サーバおよびＤＭＰを示す図
【図１０】第３の実施形態との比較例３を示す図
【図１１】第３の実施形態の作用効果を説明するための図
【図１２】実施形態の効果を説明するための図
【発明を実施するための形態】
【００１３】
以下、図面を参照しながら本発明の実施形態を説明する。
【００１４】
図１は、本実施形態の広告配信システムの全体像を示す図である。１は、Ｗｅｂブラウザ、２〜４は、本発明の第１乃至第３の実施形態に係るクッキー情報変換装置、８は第１の実施形態の情報提供装置に係る３ＰＡＳ（第三者配信アドサーバ）、９は第２の実施形態の情報提供装置に係るＤＳＰ（デマンドサイドプラットフォーム）、１０は第３の実施形態の情報提供装置に係るＤＭＰ（データマネジメントプラットフォーム）である。
【００１５】
クッキー情報変換装置２は第１の実施形態に係り、３ＰＡＳ８と連携する。クッキー情報変換装置３は第２の実施形態に係り、ＤＳＰ９と連携する。クッキー情報変換装置４は第３の実施形態に係り、ＤＭＰ１０と連携する。以下で説明する第１乃至第３の実施形態は、それぞれ単独で実施してもよいし、適宜組み合わせて実施してもよい。
【００１６】
クッキー情報変換装置２〜４は、クッキー情報の記憶部５、クッキー情報の変換部６、変換後のクッキー情報を用いた処理部７を備える。クッキー情報変換装置２〜４の各部によって実現される機能を以下の第１乃至第３の実施形態において説明する。
【００１７】
（第１の実施形態）
本発明の第１の実施形態は、第三者配信アドサーバによる純広告の配信システムと連携するクッキー情報変換装置として本発明を実施した例である。
【００１８】
第三者配信アドサーバ（３ＰＡＳ）８は、広告主が利用する、ディスプレイ広告配信の一元管理システムである。従来、広告配信は各媒体で個別に管理・設定され、配信結果のレポートも媒体から別々に提供されていた。広告配信を一箇所のシステムでとりまとめて広告主が行うことにより、配信の重複防止や効率化を図ることができる。
【００１９】
図２を参照して第１の実施形態における処理手順を説明する。
【００２０】
Ｓ１：ユーザが広告主サイト（ａｐ１．ｊｐ、ａｄｖｅｒｔｉｓｅｒ  ｉｄ＝２２）を訪問する。あらかじめサイトにはＪａｖａＳｃｒｉｐｔ（登録商標）のタグ（広告主＝ａｄ．ａｐ１ドメイン、ｐｉｘｅｌ  ｉｄ＝１２３）が埋め込まれている。
【００２１】
Ｓ２：上記タグがクッキー情報変換装置（以下、「変換サーバ」という）２をコールする。
【００２２】
Ｓ３：変換サーバ２の記憶部５にてタグの広告主ドメインが検索され、対応する３ＰＡＳ８が検出される。
【００２３】
Ｓ４：変換サーバ２が３ＰＡＳ８をコールする（ｐｉｘｅｌ  ｉｄ＝１２３）。
【００２４】
Ｓ５：ユーザのブラウザ１にａｄ．ａｐ１．ｊｐのクッキーが無い場合、３ＰＡＳ８によりユーザＩＤが付与され（ｕｓｅｒ  ｉｄ＝２２２１２３）、変換サーバ２に送信される。
【００２５】
Ｓ６：３ＰＡＳ８のｕｓｅｒ  ｉｄ＝２２２１２３が変換サーバ２の記憶部５に保存され、変換部６により、このｉｄに対応するａｄ．ａｐ１ドメインのＩＤ＝６６６５４３がランダムに付与される。なお、ｉｄの付与規則は任意であり、ランダムでなくてもよい。
【００２６】
Ｓ７：ユーザのブラウザ１にａｄ．ａｐ１  ドメインのクッキーがセットされ、ＩＤ＝６６６５４３が付与される。
【００２７】
Ｓ８：ユーザがブラウザ１を通じて外部サイトを訪問する。
【００２８】
Ｓ９：外部サイトの広告配信サーバから変換サーバ２がコールされる。ここでは、ブラウザ１のクッキーからｕｓｅｒ  ｉｄ＝６６６５４３のユーザが訪問したことがわかる。
【００２９】
Ｓ１０：変換サーバ２の記憶部５からタグの広告主ドメイン、ｕｓｅｒ  ｉｄ＝６６６５４３がそれぞれ検索される。
【００３０】
Ｓ１１：対応する３ＰＡＳ８がコールされる（３ＰＡＳ．ｎｅｔ、ｕｓｅｒ  ｉｄ＝２２２１２３）。
【００３１】
Ｓ１２：３ＰＡＳ８においてｕｓｅｒ  ｉｄ＝２２２１２３のユーザに対応する広告キャンペーンが検索される。
【００３２】
Ｓ１３：ｕｓｅｒ  ｉｄ＝２２２１２３のユーザに対して登録されていた広告主ＩＤ＝２２、ｐｉｘｅｌ  ｉｄ＝１２３のアドタグが変換サーバ２に返却される。
【００３３】
Ｓ１４：変換サーバ２において変換後のクッキー情報を用いた処理部７は、ブラウザ１にアドタグを返却し、ブラウザ１において広告が表示される。
【００３４】
［比較例１］
図３を参照して比較例１（従来）における処理手順を説明する。
【００３５】
Ｓ１：ユーザが広告主サイト（ａｐ１．ｊｐ、ａｄｖｅｒｔｉｓｅｒ  ｉｄ＝２２）を訪問する。あらかじめサイトにはＪａｖａＳｃｒｉｐｔのタグ（３ｐａｓドメイン、ｐｉｘｅｌ  ｉｄ＝１２３）が埋め込まれている。
【００３６】
Ｓ２：タグが３ＰＡＳ８をコールする。
【００３７】
Ｓ３：ユーザのブラウザに３ｐａｓ．ｎｅｔドメインのクッキーが無い場合、ユーザのブラウザ１にクッキーがセットされ、ランダムにＩＤが付与される（ｕｓｅｒ  ｉｄ＝１２３７８９）
Ｓ４：ユーザが外部サイトを訪問する。
【００３８】
Ｓ５：外部サイトの広告配信サーバから、３ＰＡＳ８がコールされる。ここでは、ブラウザ１の３ｐａｓ．ｎｅｔドメイン下のクッキーから、ｕｓｅｒ  ｉｄ＝１２３７８９のユーザが訪問したことがわかる。この点が上記第１の実施形態と相違する。
【００３９】
Ｓ６：３ＰＡＳ８においてｕｓｅｒ  ｉｄ＝１２３７８９の情報が検索される。ｐｉｘｅｌ  ｉｄ＝１２３のタグが埋め込まれた広告主ＩＤ＝２２に対応するページに同ユーザがアクセスしたことがわかる。
【００４０】
Ｓ７：広告主ＩＤ＝２２、ｐｉｘｅｌ  ｉｄ＝１２３のアドタグがブラウザ１に返却され、広告が表示される。
【００４１】
（第１の実施形態の作用効果）
図４を参照して第１の実施形態の作用効果を説明する。
【００４２】
ａｄｖｅｒｔｉｓｅｒ  ｉｄ＝２２以外の広告主（例えばａｄｖｅｒｔｉｓｅｒ  ｉｄ＝２５）の場合には、変換サーバ２を経由せずに３ＰＡＳ８がユーザの３ＰＡＳドメインのクッキーを読み書きすることになる。この場合の動作は図３の従来例と同様である。
【００４３】
よって、同一ユーザであっても別のＩＤ（例えばｕｓｅｒ  ＩＤ＝１２３７８９）として管理されている可能性が高く、ａｄｖｅｒｔｉｓｅｒ  ｉｄ＝２５は、３ＰＡＳ８が持っているａｄｖｅｒｔｉｓｅｒ  ｉｄ＝２２に関連するサイト訪問や広告配信の履歴のデータを利用することはできない。
【００４４】
したがって、本実施形態によれば、３ＰＡＳを通じて他の広告主によりクッキー情報が二次利用されるのを防止することができる。
【００４５】
（第２の実施形態）
第２の実施形態は、リアルタイムビッディング（Ｒｅａｌ  Ｔｉｍｅ  Ｂｉｄｄｉｎｇ：ＲＴＢ）と連携するクッキー情報変換装置として本発明を実施した例である。ＲＴＢとは、媒体（売り手）側のシステムが、広告の１表示毎に、広告の買い手である広告会社のシステムに対してリアルタイムにオークションを行うシステムであり、最高額の入札単価を提示した買い手が競り落とし、かつ自動的に広告を掲出することを可能とする。このＲＴＢの導入により、媒体社は広告収益を最大化することができ、広告主・広告会社はその一瞬一瞬における最適な市場価格で広告露出を図ることができる。
【００４６】
ＤＳＰ（ディマンドサイドプラットフォーム）は、広告主が広告在庫の買い付けから配信、ターゲティングなどを一括して管理できる広告配信プラットフォームである。ＤＳＰは、媒体側の収益を最大化させる仕組みであるＳＳＰ（Ｓｕｐｐｌｙ  Ｓｉｄｅ  Ｐｌａｔｆｏｒｍ）との間でＲＴＢで広告の売買を行う。これまでの広告配信は広告枠ごとに配信する仕組みであったのに対し、ＲＴＢは広告一表示ごとに価格を決め、ユーザの行動履歴や属性をもとに適切なターゲットへ配信する事が可能である。また必要な時に必要な分だけ広告を配信できるという点も特徴である。
【００４７】
ＳＳＰ（サプライサイドプラットフォーム）は、媒体側の収益を最大化させるためのプラットフォームである。広告一表示毎に最高額と判断された広告が配信される。
【００４８】
図５を参照して第２の実施形態における処理手順を説明する。
【００４９】
Ｓ１：ユーザが広告主サイト（ａｐ１．ｊｐ、ａｄｖｅｒｔｉｓｅｒ  ｉｄ＝２２）を訪問する。あらかじめサイトには変換サーバ３のＪａｖａＳｃｒｉｐｔタグ（広告主＝ａｄ．ａｐ１ドメイン、ｐｉｘｅｌ  ｉｄ＝１２３）が埋め込まれている。
【００５０】
Ｓ２：上記タグがクッキー情報変換装置（本実施形態では「変換サーバ３」）をコールする。
【００５１】
Ｓ３：変換サーバ３の記憶部５においてタグの広告主ドメインが検索され、対応するＤＳＰ１（参照数字９）が検出される。
【００５２】
Ｓ４：変換サーバ３がＤＳＰ１をコールする。（ｐｉｘｅｌ  ｉｄ＝１２３）
Ｓ５：ユーザのブラウザ１にａｄ．ａｐ１．ｊｐのクッキーが無い場合、ＤＳＰ１によりユーザＩＤが付与され（ｕｓｅｒ  ｉｄ＝２２２１２３）、変換サーバ３に送信される。
【００５３】
Ｓ６：変換サーバ３の記憶部５において、ＤＳＰ１のｕｓｅｒ  ｉｄ＝２２２１２３が保存され、それに対応する変換サーバ３の変換部６により、ａｄ．ａｐ１ドメインのＩＤ＝６６６５４３がランダムに付与される。ＩＤの付与規則は任意であり、ランダムに限定されない。
【００５４】
Ｓ７：ブラウザ１にクッキーがセットされ（ａｄ．ａｐ１ドメイン、ＩＤ＝６６６５４３）、ＳＳＰ１１のｓｙｎｃ  ＵＲＬがレスポンスとして返る。（例：ｉｍｇ＝ｈｔｔｐ：／／ｓｓｐ．ｎｅｔ／ｃｓｙｎｃ？ｄｓｐｉｄ＝＃１）
Ｓ８：ＳＳＰ１１がコールされる。
【００５５】
Ｓ９：上記Ｓ８のコールに対するレスポンスとして、ＳＳＰ１１から変換サーバ３へのリダイレクトＵＲＬ（ｈｔｔｐ：／／ａｄ．ａｐ１．ｊｐ／ｓｙｎｃ？ｕｉｄ＝１１１１１）がＳＳＰ１１のＩＤ（例えば１１１１１）とともに送られる。
【００５６】
Ｓ１０：変換サーバ３がコールされる（ＳＳＰ  ｕｓｅｒ  ｉｄ＝１１１１１  ａｄ．ａｐ１  ｕｓｅｒ  ｉｄ＝６６６５４３）。
【００５７】
Ｓ１１：変換サーバ３の記憶部５において、変換サーバＩＤ（Ｈｅｎｋａｎ＿ｉｄ）に対応するＤＳＰ１のＩＤ（ＤＳＰ＿ｉｄ）＝２２２１２３が検出される。
【００５８】
Ｓ１２：変換サーバ３の処理部７は、ＤＳＰ１をコールする。このとき、ＳＳＰ  ｕｓｅｒ  ｉｄ＝１１１１１、ＤＳＰ１  ｉｄ＝２２２１２３とする。
【００５９】
Ｓ１３：ＤＳＰ１のユーザＩＤ（ＤＳＰ１  ｕｓｅｒ  ｉｄ＝２２２１２３）とＳＳＰのユーザＩＤ（ＳＳＰ  ｕｓｅｒ  ｉｄ＝１１１１１）のマッピングテーブルがＤＳＰ１に保存される。
【００６０】
図６はＤＳＰ１のマッピングテーブル保存以降の処理手順を示す。
【００６１】
Ｓ１４：ユーザが外部サイトを訪問する。
【００６２】
Ｓ１５：サイトの広告配信サーバからＳＳＰ１１がコールされる。（ＳＳＰ  ｕｓｅｒ  ｉｄ＝１１１１１）
Ｓ１６：ＳＳＰ１１が複数のＤＳＰにビッドリクエストを送る。ＤＳＰ１が保持しているユーザＩＤマッピングテーブルから、ＤＳＰ１ではｕｓｅｒ  ｉｄ＝２２２１２３として管理されているユーザであることがわかる。
【００６３】
Ｓ１７：ＤＳＰ１が落札した場合、ＤＳＰ１の記憶部５から、ｕｕｉｄ＝２２２１２３の情報が検索される。処理部７は、広告主ＩＤ＝２２、ｐｉｘｅｌ  ｉｄ＝１２３のアドタグをブラウザ１に返却し、ブラウザ１において広告が表示される。
【００６４】
［比較例２］
図７を参照して比較例２（従来）における処理手順を説明する。
【００６５】
Ｓ１：ユーザが広告主サイト（ａｐ１．ｊｐ、ａｄｖｅｒｔｉｓｅｒ  ｉｄ＝２２）を訪問する。あらかじめサイトにはＪａｖａＳｃｒｉｐｔのタグ（ｄｓｐドメイン、ｐｉｘｅｌ  ｉｄ＝１２３）が埋め込まれている。
【００６６】
Ｓ２：タグがＤＳＰ１をコールする。
【００６７】
Ｓ３：ユーザのブラウザ１にｄｓｐ．ｎｅｔドメインのクッキーが無い場合、同ブラウザ１にクッキーがセットされ（ｕｓｅｒ  ｉｄ＝１２３７８９）、ＳＳＰ１１のｓｙｎｃ  ＵＲＬがレスポンスとして返る（例：ｉｍｇ＝ｈｔｔｐ：／／ｓｓｐ．ｎｅｔ／ｃｓｙｎｃ？ｄｓｐｉｄ＝＃１）。
【００６８】
Ｓ４：ＳＳＰ１１がコールされる。
【００６９】
Ｓ５：レスポンスとして、ＳＳＰ１１からＤＳＰ１へのリダイレクトＵＲＬが送られる。ユーザがＳＳＰ１１のタグが入っているサイトに訪問したことがあればｓｓｐ．ｎｅｔドメイン下のクッキーにＩＤが付与されており、例えばｕｓｅｒ  ｉｄ＝１１１１１のユーザの場合、ｈｔｔｐ：／／ｄｓｐ．ｎｅｔ／ｓｙｎｃ？ｕｉｄ＝１１１１１等として送られる。この点が上記第２の実施形態と相違する。
【００７０】
Ｓ６：ＤＳＰ１がコールされる（ＳＳＰ  ｕｓｅｒ  ｉｄ＝１１１１１  ＤＳＰ１  ｕｓｅｒ  ｉｄ＝１２３７８９）。
【００７１】
Ｓ７：ＤＳＰ１のユーザＩＤ（ｕｓｅｒ  ｉｄ＝１２３７８９）とＳＳＰ１１のユーザＩＤ（ｕｓｅｒ  ｉｄ＝１１１１１）のマッピングテーブルがＤＳＰ１に保存される。
【００７２】
Ｓ８：ユーザが外部サイトを訪問する。
【００７３】
Ｓ９：サイトの広告配信サーバから、ＳＳＰ１１がコールされる（ＳＳＰ  ｕｓｅｒ  ｉｄ＝１１１１１）。
【００７４】
Ｓ１０：ＳＳＰ１１が複数のＤＳＰにビッドリクエストを送る。ＤＳＰ１が保持しているユーザＩＤマッピングテーブルから、ＤＳＰ１ではｕｓｅｒ  ｉｄ＝１２３７８９として管理されているユーザであることがわかる。
【００７５】
Ｓ１１：ＤＳＰ１が落札した場合、ＤＳＰ１のＤＢから、ｕｕｉｄ＝１２３７８９の情報が検索され、広告主ＩＤ＝２２、ｐｉｘｅｌ  ｉｄ＝１２３のアドタグがブラウザ１に返却され、広告が表示される。
【００７６】
（第２の実施形態の作用効果）
図８を参照して第２の実施形態の作用効果を説明する。
【００７７】
ａｄｖｅｒｔｉｓｅｒ  ｉｄ＝２２以外の広告主（例えばａｄｖｅｒｔｉｓｅｒ  ｉｄ＝２５）の場合は、変換サーバ３を経由せずにＤＳＰ１はユーザのＤＳＰ１ドメインのクッキーを読み書きすることになる。この場合の動作は図７に示した従来例と同様である。
【００７８】
よって、同一ユーザであっても別のＩＤ（ｕｓｅｒ  ＩＤ＝１２３７８９）として管理されている可能性が高く、ａｄｖｅｒｔｉｓｅｒ  ｉｄ＝２５はＤＳＰ１が持っているａｄｖｅｒｔｉｓｅｒ  ｉｄ＝２２に関連するサイト訪問や広告配信の履歴のデータを利用することはできない。
【００７９】
したがって、本実施形態によれば、ＤＳＰを通じて他の広告主によりクッキー情報が二次利用されるのを防止することができる。
【００８０】
（第３の実施形態）
第３の実施形態は、ＤＭＰ（Ｄａｔａ  Ｍａｎａｇｅｍｅｎｔ  Ｐｌａｔｆｏｒｍ）と連携する変換サーバとして本発明を実施する例である。ＤＭＰは、インターネット上の様々なサーバに蓄積されるビッグデータや自社サイトのログデータなどを一元管理、分析し、最終的に広告配信などのアクションプランの最適化を実現するためのプラットフォームである。
【００８１】
図９を参照して第３の実施形態における処理手順を説明する。
【００８２】
Ｓ１：ユーザが広告主サイト等を訪問する。あらかじめサイトにはＪａｖａＳｃｒｉｐｔのタグ（広告主ドメイン、ｐｉｘｅｌ  ｉｄ＝１２３）が埋め込まれている。
【００８３】
Ｓ２：タグが変換サーバ４をコールする。
【００８４】
Ｓ３：変換サーバ４の記憶部５においてタグの広告主ドメインが検索され、対応するＤＭＰが検出される。
【００８５】
Ｓ４：変換サーバ４がＤＭＰ１０をコールする（ｐｉｘｅｌ  ｉｄ＝１２３）。
【００８６】
Ｓ５：ユーザのブラウザ１にａｄ．ａｐ１．ｊｐのクッキーが無い場合、ＤＭＰ１によりユーザＩＤが付与され（ｕｓｅｒ  ｉｄ＝２２２１２３）、変換サーバ４に送信される。
【００８７】
Ｓ６：変換サーバ４の記憶部５にてＤＭＰ１０のｕｓｅｒ  ｉｄ＝２２２１２３が保存される。また、変換サーバ４の変換部６は、ＤＭＰ１０のｕｓｅｒ  ｉｄ＝２２２１２３に対応する、変換サーバ４のａｄ．ａｐ１ドメインにおけるＤＭＰ１０のｕｓｅｒ  ＩＤ＝６６６５４３をランダムに付与する。ＩＤの付与規則は任意であり、ランダムでなくてもよい。
【００８８】
Ｓ７：変換サーバ４によりユーザのブラウザ１にａｄ．ａｐ１ドメインのクッキーがセットされ、ＩＤ＝６６６５４３が付与される。
【００８９】
Ｓ８：ユーザがブラウザ１を通じて外部サイトを訪問する。
【００９０】
Ｓ９：外部サイトの広告配信サーバから、変換サーバ４がコールされる。ここでは、ブラウザのａｄ．ａｐ１ドメインのクッキーからｕｓｅｒ  ｉｄ＝６６６５４３のユーザであることがわかる。
【００９１】
Ｓ１０：変換サーバ４の記憶部５から、タグの広告主ドメイン、ｕｓｅｒ  ｉｄ＝６６６５４３がそれぞれ検索される。
【００９２】
Ｓ１１：変換サーバ４の処理部７は、対応するＤＭＰ１０をコールする（ｄｍｐ．ｎｅｔ、ｕｓｅｒ  ｉｄ＝２２２１２３）。
【００９３】
Ｓ１２，Ｓ１３，Ｓ１４：ＤＭＰ１０においてＤＢが検索され、ｕｓｅｒ  ｉｄ＝２２２１２３のユーザに対しデータの書き換えや広告配信が行われる。
【００９４】
［比較例３］
図１０を参照して比較例３（従来）における処理手順を説明する。
【００９５】
Ｓ１：ユーザが広告主サイト等を訪問する。あらかじめサイトにはＪａｖａＳｃｒｉｐｔのタグ（ＤＭＰドメイン、ｐｉｘｅｌ  ｉｄ＝１２３）が埋め込まれている。
【００９６】
Ｓ２：タグがＤＭＰ１０をコールする。この点は、変換サーバ４を介して間接的にではなく、ＤＭＰ１０を直接コールする点で上述した第３の実施形態と相違する。
【００９７】
Ｓ３：ユーザのブラウザ１にｄｍｐ．ｎｅｔドメインのクッキーが無い場合、ユーザのブラウザ１にクッキーがセットされ、ランダムにＩＤが付与される（ｕｓｅｒ  ｉｄ＝１２３７８９）。
【００９８】
Ｓ４：ユーザが外部サイトを訪問する。
【００９９】
Ｓ５：サイトの広告配信サーバから、ＤＭＰ１０がコールされる。ここでは、ブラウザ１のｄｍｐ．ｎｅｔドメイン下のクッキーから、ｕｓｅｒ  ｉｄ＝１２３７８９のユーザであることがわかる。
【０１００】
Ｓ６，Ｓ７：ＤＭＰ１０が保持しているＤＢから、ｕｓｅｒ  ｉｄ＝１２３７８９の情報が検索され、データの書き換えや広告配信等が行われる。
【０１０１】
（第３の実施形態の作用効果）
図１１を参照して第３の実施形態の作用効果を説明する。
【０１０２】
ａｄｖｅｒｔｉｓｅｒ  ｉｄ＝２２以外の広告主（例えばａｄｖｅｒｔｉｓｅｒ  ｉｄ＝２５）の場合は、変換サーバ４を経由せずにＤＭＰ１０がユーザのＤＭＰドメインのクッキーを読み書きすることになる。この場合の動作は図１０の従来例と同様である。
【０１０３】
よって、同一ユーザであっても別のＩＤ（ｕｓｅｒ  ＩＤ＝１２３７８９）として管理されている可能性が高く、ａｄｖｅｒｔｉｓｅｒ  ｉｄ＝２５はＤＭＰ１０が持っているａｄｖｅｒｔｉｓｅｒ  ｉｄ＝２２に関連するサイト訪問や広告配信の履歴のデータを利用することはできない。
【０１０４】
したがって、本実施形態によれば、ＤＭＰを通じて他の広告主によりクッキー情報が二次利用されるのを防止することができる。
【０１０５】
以上説明した実施形態によれば、広告主が意図しない二次利用等を防ぐためにクッキー情報を変換する装置、方法及びプログラムを提供することができる。
【０１０６】
具体的には、本発明によれば、ファーストパーティークッキーを用いることがサードパーティークッキーを拒否するブラウザへの対策となり、ファーストパーティークッキーを用いたクリエイティブオプティマイズ及びリターゲティング広告配信を実現することができる。
【０１０７】
図１２は、広告主サイトにおけるユーザの訪問履歴とターゲティングの関係を説明する図である。ページごとに異なるピクセル（ＪａｖａＳｃｒｉｐｔのタグ）を入れることにより、ユーザの訪問ページに応じて異なるターゲティングを行うことができる。ターゲティングの例としては、ＴＯＰページ（例：ピクセル値＝１２３）のみを訪問したユーザＡ群については、製品のＰＲを行う。製品ページ１乃至３（例：ピクセル値＝１２４）を閲覧したユーザＢ群、Ｄ群、Ｆ群については、購買促進を行い、製品アイテムをカート（例：ピクセル値＝１２５）に入れたが購入には至っていないユーザＥ群については、カートに入れた製品アイテムについてのユーザに対するリマインドを行う。このようなターゲティングや広告情報の計測を、ファーストパーティークッキーを外部と共有することなく実現することができる。
【０１０８】
さらに、本発明によれば、メディアバイイングとして、純広告、アドネットワーク（ＡＤＮＷ）のみならず、ＲＴＢを想定することができる。上述した従来技術には、メディアバイイングにおいて、次のようなデメリットが考えられる。すなわち、必要在庫だけ買い付けるためには、純広告やＡＤＮＷのサーバへパスバックの設定を行う必要があり、都度の媒体交渉と設定作業が発生する。また、ＲＴＢにおいてはクッキー同期などでＤＳＰにオーディエンス情報を渡す必要がある。これに対し本発明によれば、そのようなメディアバイイングの制約がない。
【０１０９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に本件出願当初の特許請求の範囲に記載された発明を付記する。
［１］
Ｗｅｂブラウザから情報提供装置の呼び出しに応じて当該情報提供装置から第１のクッキー情報を受け取り、当該第１のクッキー情報を第２のクッキー情報に変換する変換手段と、
前記第１のクッキー情報と前記第２のクッキー情報とを関連付けて記憶する記憶手段と、を具備し、前記呼び出しに対して前記Ｗｅｂブラウザに前記第２のクッキー情報を設定することを特徴とするクッキー情報の変換装置。
［２］
前記第２のクッキー情報を用いた前記Ｗｅｂブラウザから前記情報提供装置の呼び出しに応じて、前記記憶手段から前記第２のクッキー情報に対応する前記第１のクッキー情報を読み出し、当該第１のクッキー情報を用いて前記情報提供装置に対する処理を行う処理手段をさらに具備することを特徴とする［１］に記載の装置。
［３］
前記情報提供装置は、第三者配信アドサーバであることを特徴とする［１］または［２］に記載の装置。
［４］
前記情報提供装置は、デマンドサイドプラットフォーム（ＤＳＰ）であることを特徴とする［１］または［２］に記載の装置。
［５］
前記情報提供装置は、データマネジメントプラットフォーム（ＤＭＰ）であることを特徴とする［１］または［２］に記載の装置。
［６］
Ｗｅｂブラウザから情報提供装置の呼び出しに応じて当該情報提供装置から第１のクッキー情報を受け取り、当該第１のクッキー情報を第２のクッキー情報に変換する変換ステップと、
前記第１のクッキー情報と前記第２のクッキー情報とを関連付けて記憶手段に記憶する記憶ステップと、を含み、前記呼び出しに対して前記Ｗｅｂブラウザに前記第２のクッキー情報を設定することを特徴とするクッキー情報の変換方法。
［７］
前記第２のクッキー情報を用いた前記Ｗｅｂブラウザから前記情報提供装置の呼び出しに応じて、前記記憶手段から前記第２のクッキー情報に対応する前記第１のクッキー情報を読み出し、当該第１のクッキー情報を用いて前記情報提供装置に対する処理を行う処理ステップをさらに具備することを特徴とする［６］に記載の方法。
［８］
コンピュータを、
Ｗｅｂブラウザから情報提供装置の呼び出しに応じて当該情報提供装置から第１のクッキー情報を受け取り、当該第１のクッキー情報を第２のクッキー情報に変換する変換手段、
前記第１のクッキー情報と前記第２のクッキー情報とを関連付けて記憶する記憶手段と、として機能させるためのプログラムであって、前記呼び出しに対して前記Ｗｅｂブラウザに前記第２のクッキー情報を設定することを特徴とするプログラム。
［９］
前記コンピュータを、
前記第２のクッキー情報を用いた前記Ｗｅｂブラウザから前記情報提供装置の呼び出しに応じて、前記記憶手段から前記第２のクッキー情報に対応する前記第１のクッキー情報を読み出し、当該第１のクッキー情報を用いて前記情報提供装置に対する処理を行う処理手段として機能させるための［８］に記載のプログラム。
【符号の説明】
【０１１０】
１…Ｗｅｂブラウザ
２，３，４…クッキー情報変換装置
５…クッキー情報の記憶部
６…クッキー情報の変換部
７…変換後のクッキー情報を用いた処理部
８…３ＰＡＳ
９…ＤＳＰ
１０…ＤＭＰ
【要約】
【課題】  広告主が意図しない二次利用等を防ぐためにクッキー情報を変換する装置、方法及びプログラムを提供する。
【解決手段】  Ｗｅｂブラウザ（１）から情報提供装置（８）の呼び出しに応じて情報提供装置（８）から第１のクッキー情報を受け取り、当該第１のクッキー情報を第２のクッキー情報に変換する変換部（６）と、前記第１のクッキー情報と前記第２のクッキー情報とを関連付けて記憶する記憶部（５）と、を具備し、前記呼び出しに対して前記Ｗｅｂブラウザ（１）に前記第２のクッキー情報を設定することを特徴とする。
【選択図】図１【図１】
0005843947.tif 000002
【図２】
0005843947.tif 000003
【図３】
0005843947.tif 000004
【図４】
0005843947.tif 000005
【図５】
0005843947.tif 000006
【図６】
0005843947.tif 000007
【図７】
0005843947.tif 000008
【図８】
0005843947.tif 000009
【図９】
0005843947.tif 000010
【図１０】
0005843947.tif 000011
【図１１】
0005843947.tif 000012
【図１２】
0005843947.tif 000013